(57)【要約】【課題】油煙中に含まれる油脂の付着に起因する動作不良が発生し難い防火ダンパーを提供する。【解決手段】防火ダンパー１は、取付枠２に取り付けられるダンパー本体３と、ダンパー本体３を取付枠２に着脱可能に固定する機構と、を備え、ダンパー本体３は、取付枠２に装着され排気経路Ｒを形成する枠状部材３０と、枠状部材３０内に複数の支軸３１を介して回動可能に配置された複数のシャッター部材３２と、シャッター部材３２の回動動作を同期させる連接部材３３と、シャッター部材３２を閉止方向に付勢するバネ３４と、シャッター部材３２を開放状態に保持するロック手段と、ダンパー本体４近傍が設定温度を超えるとロック手段を解除する起動手段である温度ヒューズ３７と、を備え、連接部材３３及び弾性部材は、排気流路Ｒの左右外側部に設けられた側室部４０内に配置されている。【選択図】図１１
2020010976.tif 000002
【特許請求の範囲】
【請求項１】
排気フード内の排気ダクトの入り口に設置される取付枠と、前記取付枠に取り付けられるダンパー本体と、前記ダンパー本体を前記取付枠に着脱可能に固定する固定機構と、を備えた防火ダンパーであって、
前記ダンパー本体が、
前記取付枠に装着され排気経路を形成する枠状部材と、
前記枠状部材内の排気流路に複数の支軸を介して回動可能に配置された複数のシャッター部材と、
複数の前記シャッター部材の回動動作を同期させる連接部材と、
前記シャッター部材を閉止方向に付勢する弾性部材と、
前記シャッター部材を開放状態に保持するロック手段と、
前記ダンパー本体近傍が設定温度を超えると前記ロック手段を解除する起動手段と、を備え、
前記連接部材及び前記弾性部材を、前記排気流路の外部であって且つカバー部材によって覆われた領域に配置した防火ダンパー。
【請求項２】
複数の前記弾性部材を複数の異なる位置に配置した請求項１記載の防火ダンパー。
【請求項３】
前記固定機構は、当該固定機構の解除操作に伴い、前記ダンパー本体の少なくとも一部を前記取付枠から離隔する方向へ移動させる分離機構を備えた請求項１または２記載の防火ダンパー。
【請求項４】
前記シャッター部材の支軸が、
当該支軸が前記枠状部材を貫通する管体部と、
前記管体部の一方の端部と連続状態で前記枠状部材の内側に位置する管体圧潰部と、
前記管体部の他方の端部と連続状態で前記枠状部材の外側に位置するとともに前記管体部と交差する方向に折曲したＬ字状管体圧潰部と、を有する請求項１〜３の何れかの項に記載の防火ダンパー。
【請求項５】
前記ダンパー本体が、複数の構成部材の少なくとも一部をネジ機構で連結することによって形成された請求項１〜４の何れかの項に記載の防火ダンパー。
【発明の詳細な説明】
【技術分野】
【０００１】
本発明は、厨房に設置される排気フードの排気ダクトの入り口に取り付けられる防火ダンパーに関する。
【背景技術】
【０００２】
建物内の厨房で火災が発生したときに、火炎が排気フードの排気ダクトを経由して広がるのを防止するため、排気フードの排気ダクトの入り口には防火ダンパーが取り付けられている。一般に、防火ダンパーは、火災発生時の熱を感知して、排気ダクトの入り口を閉止する機能を有し、従来、様々な構造、機能を有するものが提案されているが、本発明に関連するものとして、例えば、特許文献１に記載された「排煙装置の防火ダンパー」などがある。
【０００３】
前記「排煙装置の防火ダンパー」は、両端中央部が軸支されて開閉移動自在となった遮断板を備えた器体を排煙路内に配設し、遮断板を閉塞状態に付勢する戻しばね部材のばね力に抗して遮断板を開状態で保持する保持部材を器体に設け、この保持部材を遮断板の回動軸線上において遮断板の回動軸と直交するように立設配置された歯車体と、器体より突設された係止部材とで構成し、設定温度で分離する先部側半体と基部側半体とで構成される係止部材を器体と歯車体との間に架設し、先部側半体に設けられた係止部を歯車体のラチェット歯車部に係止して成るものである。
【先行技術文献】
【特許文献】
【０００４】
【特許文献１】特開平８−２９９４８５号公報
【発明の概要】
【発明が解決しようとする課題】
【０００５】
特許文献１に記載された「排煙装置の防火ダンパー」においては、排煙路内に配設される角筒状の器体の内部に開閉自在な複数の遮蔽板が設けられ、これらの遮蔽板の開閉動作を連動させる連動金具並びに各遮蔽板を閉塞状態に付勢する戻しばね部材が器体の内部に配置されている。
【０００６】
従って、前記防火ダンパーにおいては、器体の内部に配置された複数の遮蔽板だけでなく、連動金具及び戻しばね部材が、当該器体の内部を通過する油煙に曝されることとなり、油煙中に含まれる油脂が連動金具や戻しばね部材に付着し、火災発生時の作動不良（遮蔽板の閉塞作動不良）を誘発する可能性がある。
【０００７】
そこで、本発明が解決しようとする課題は、油煙中に含まれる油脂の付着に起因する動作不良が発生し難い防火ダンパーを提供することにある。
【課題を解決するための手段】
【０００８】
本発明に係る防火ダンパーは、排気フード内の排気ダクトの入り口に設置される取付枠と、前記取付枠に取り付けられるダンパー本体と、前記ダンパー本体を前記取付枠に着脱可能に固定する固定機構と、を備えた防火ダンパーであって、
前記ダンパー本体が、
前記取付枠に装着され排気経路を形成する枠状部材と、
前記枠状部材内の排気流路に複数の支軸を介して回動可能に配置された複数のシャッター部材と、
複数の前記シャッター部材の回動動作を同期させる連接部材と、
前記シャッター部材を閉止方向に付勢する弾性部材と、
前記シャッター部材を開放状態に保持するロック手段と、
前記ダンパー本体近傍が設定温度を超えると前記ロック手段を解除する起動手段と、を備え、
前記連接部材及び前記弾性部材を、前記排気流路の外部であって且つカバー部材によって覆われた領域に配置したことを特徴とする。
【０００９】
このような構成とすれば、排気流路を通過する排気中に含まれる油脂成分が連接部材や弾性部材に付着するのを回避することができ、連接部材や弾性部材の固着を防止することができるので、非常時（火炎発生時）のシャッター部材の閉止動作不良を防止することができ、防火ダンパーの信頼性が向上する。また、火災発生時、弾性部材が火炎に直接曝されるのを回避することができるので、シャッター部材の閉止力を維持することができる。
【００１０】
前記防火ダンパーにおいては、複数の前記弾性部材を複数の異なる位置に配置することが望ましい。
【００１１】
このような構成とすれば、排気中の油脂成分の付着に起因する弾性部材の付勢機能（シャッター部材の閉止機能）の低下（喪失）により、シャッター部材の閉止動作が阻害されるのを防止することができる。
【００１２】
前記防火ダンパーにおいては、前記固定機構は、当該固定機構の解除操作に伴い、前記ダンパー本体の少なくとも一部を前記取付枠から離隔する方向へ移動させる分離機構を備えたものであることが望ましい。
【００１３】
このような構成とすれば、排気流路を通過する排気中に含まれる油脂成分が、取付枠とダンパー本体との隙間に付着して両者の分離が困難となっているような場合においても、固定機構の解除操作を行うことにより、ダンパー本体の少なくとも一部が取付枠から離れるので、ダンパー本体の取り外し作業が容易となり、メンテナンス性が向上する。
【００１４】
前記防火ダンパーにおいては、
前記シャッター部材の支軸が、
当該支軸が前記枠状部材を貫通する管体部と、
前記管体部の一方の端部と連続状態で前記枠状部材の内側に位置する管体圧潰部と、
前記管体部の他方の端部と連続状態で前記枠状部材の外側に位置するとともに前記管体部と交差する方向に折曲したＬ字状管体圧潰部と、を有するものであることが望ましい。
【００１５】
このような構成とすれば、管状の材料にプレス加工、曲げ加工を施すことにより、前記シャッター部材との連結部分、並びに、前記シャッター部材の動作を同期させる前記連接部材との連結部分を兼備した、シャッター部材の支軸を形成することができるので、部品点数の削減を図ることができる。
【００１６】
前記防火ダンパーにおいては、前記ダンパー本体が、複数の構成部材の少なくとも一部をネジ機構で連結することによって形成されたものであることが望ましい。
【００１７】
このような構成とすれば、ねじ機構を構成するネジやビスをゆるめることにより、ダンパー本体を複数の構成部材に分解することができるので、ダンパー本体の角隅部分や狭い隙間部分などに付着した油脂成分の清掃除去が容易となり、清掃の徹底を図ることができる。
【発明の効果】
【００１８】
本発明により、油煙中に含まれる油脂の付着に起因する動作不良が発生し難い防火ダンパーを提供することができる。
【図面の簡単な説明】
【００１９】
【図１】本発明の実施形態である防火ダンパーが開放状態にあるときの一部省略斜視図である。
【図２】図１に示す防火ダンパーの分解斜視図である。
【図３】図１中の矢線Ａ方向から見た防火ダンパーの底面図である。
【図４】図１中の矢線Ｂ方向から見た防火ダンパーの平面図である。
【図５】図４中の矢線Ｘで示す部分の一部省略斜視図である。
【図６】図１中の矢線Ｃ方向から見た防火ダンパーの正面図である。
【図７】図１中の矢線Ｄ方向から見た防火ダンパーの背面図である。
【図８】図１中の矢線Ｅ方向から見た防火ダンパーの右側面図である。
【図９】図１中の矢線Ｆ方向から見た防火ダンパーの左側面図である。
【図１０】図４中のＧ−Ｇ線における断面図である。
【図１１】図４中のＨ−Ｈ線における断面図である。
【図１２】側面カバーを取り外した状態における防火ダンパーの左側面図である。
【図１３】図１に示す防火ダンパーが閉止状態にあるときの一部省略斜視図である。
【図１４】図１に示す防火ダンパーを構成する固定機構の機能説明図である。
【図１５】図１に示す防火ダンパーにおいて取付枠に対するダンパー本体の着脱過程を示す説明図である。
【発明を実施するための形態】
【００２０】
以下、図１〜図１５に基づいて、本発明の実施形態である防火ダンパー１について説明する。
【００２１】
図１〜図４に示すように、防火ダンパー１は、排気フード内の排気ダクトの入り口（図示せず）に設置される取付枠２と、取付枠２に取り付けられるダンパー本体３と、ダンパー本体３を取付枠２に着脱可能に固定する固定機構であるクレセント錠６並びに蝶番状係合部７と、を備えている。
【００２２】
図１〜図４並びに図１０〜図１２に示すように、ダンパー本体３は、取付枠２に装着され排気経路Ｒを形成する四角形状の枠状部材３０と、枠状部材３０内の排気流路Ｒに複数の支軸３１を介して回動可能に配置された複数のシャッター部材３２と、複数のシャッター部材３２の回動動作を同期させる連接部材３３と、シャッター部材３２を閉止方向Ｓに付勢する弾性部材であるバネ３４と、シャッター部材３２を開放状態に保持するロック手段であるラチェット部材３５及びフック部３６を有する温度ヒューズ３７と、を備えている。温度ヒューズ３７は、ダンパー本体３近傍が設定温度を超えるとロック手段を解除する起動手段である。
【００２３】
図１１に示すように、連接部材３３及び弾性部材３４は、排気流路Ｒの左右外側部に、それぞれケーシング側面板３８ｂによって排気流路Ｒから隔離された状態に形成された側室部４０内に配置されている。側室部４０は、ダンパー本体３の左右側面部分を構成するケーシング側面板３８ｂに沿って横断面コ字状のカバー部材３９を取り付けることによって形成されている。側室部４０の正面部分及び背面部分は、それぞれ、ダンパー本体３の正面部分並びに背面部分を構成するケーシング正面板３８ａ、ケーシング背面板３８ｃによって閉塞されている。
【００２４】
図４，図５，図１１に示すように、シャッター部材３２の支軸３１は、支軸３１が枠状部材３０のケーシング側面板３８ｂ及びストッパー部材４１を貫通する管体部３１ａと、管体部３１ａの一方の端部３１ｂと連続状態で枠状部材３０の内側に位置する管体圧潰部３１ｃと、管体部３１ａの他方の端部３１ｄと連続状態で枠状部材３０の外側に位置するとともに管体部３１ａと直角に交差する方向に折曲したＬ字状管体圧潰部３１ｅと、を有している。
【００２５】
図５に示すように、ケーシング側面板３８ｂの内面には断面Ｌ字状のストッパー部材４１が取り付けられている。シャッター部材３２が閉鎖したとき、シャッター部材３２の両縁部がストッパー部材４１に当接する。ケーシング側面板３８ｂには、支軸３１の管体圧潰部３１ｃが通過可能なサイズの長孔３８ｄが、長径方向を垂直方向に向けた状態で開設されている。ストッパー部材４１には、支軸３１の管体部３１ａが貫通可能な内径を有する丸孔部４２ａと、丸孔部４２ａの下方と連続するとともに支軸３１の管体圧潰部３１ｃが通過可能なサイズを有する四角孔部４２ｂとを備えた開口部４２が開設されている。長孔３８ｄと開口部４２とはその一部が連通するように配置され、この連通部分を支軸３１の管体部３１ａが回転自在に貫通している。
【００２６】
図３，図４に示すように、枠状部材３０の内側に位置する支軸３１の管体圧潰部３１ｃはシャッター部材３２の端部に固定され、図１１，図１２に示すように、枠状部材３０の外側の側室部４０内に位置する支軸３１のＬ字状管体圧潰部３１ｅは軸体４３を介して連接部材３３に軸支されている。
【００２７】
図６に示すように、クレセント錠６は、取付枠２の正面板２ａに支軸６ａを介して回動可能に取り付けられたクレセント部材６ｂと、ダンパー本体３のケーシング正面板３８ａに取り付けられた係止ピン６ｃと、を有している。クレセント部材６ｂを支軸６ａ中心に正転・逆転させると、クレセント部材６ｂに設けられた円弧状切欠き部６ｄが係止ピン６ｃに係合・離脱する。クレセント部材６ｂの円弧部６ｅから支軸６ａまでの距離Ｔは、円弧状切欠き部６ｄの開口端側に向かって連続的に増大している。
【００２８】
クレセント部材６ｂを支軸６ａ中心に反時計方向に回動させ、クレセント部材６ｂの円弧状切欠き部６ｄの開口端側から行き止まり部側に向かって係止ピン６ｃを嵌め込むと、後述する蝶番状係合部７との連携作用により、ダンパー本体３が取付枠２に固定される。
【００２９】
図７〜図１０に示すように、蝶番状係合部７は、取付枠２の背面板２ｃの長手方向に沿って取り付けられた断面がＪ字状の溝状部材７１と、ダンパー本体３のケーシング背面板３８ｃの長手方向に沿って取り付けられた断面が鉤形状の吊り部材７２とを備え、後述するように蝶番的な機能を有している。吊り部材７２が溝状部材７１に引き掛かるように係合することにより、前述したクレセント錠６との連携作用により、ダンパー本体３が取付枠２に固定される。
【００３０】
図１に示すように、平常時の防火ダンパー１においては、ロック手段（ラチェット部材３５とフック部３６との係合機構）により複数のシャッター部材３２が互いに平行に起立した状態（開放状態）に保たれているため、調理中に排気フードの下方で発生した油煙や水蒸気などは排気経路Ｒを通過して排気ダクトを経由して排出される。
【００３１】
一方、火災が発生し、ダンパー本体３近傍が設定温度を超えると、図１０に示す温度ヒューズ３７が溶断するので、フック部３６によるラチェット部材３５に対する拘束が解除され、図１２（ａ）に示すように開放状態にあった複数のシャッター部材３２はバネ３４の付勢力により、図１２（ｂ）及び図１３に示すように、全て閉鎖した状態となる。これにより、排気流路Ｒ（図１参照）は閉鎖された状態となるので、火災発生に伴う火炎が排気ダクトに流入するのを防止することができる。
【００３２】
図１１，図１２に示すように、本実施形態の防火ダンパー１においては、連接部材３３及びばね（弾性部材）３４を排気流路Ｒの外部に位置する側室部４０内に配置しているため、排気流路Ｒを通過する排気中に含まれる油脂成分が連接部材３３やばね３４に付着するのを回避し、連接部材３３やばね３４が固着することを防止することができる。従って、非常時（火炎発生時）のシャッター部材３２の閉止動作不良を防止することができ、防火ダンパー１の信頼性が向上する。また、火災発生時、ばね３４が火炎に直接曝されるのを回避することができるので、シャッター部材３２の閉止力を維持することができる。
【００３３】
防火ダンパー１においては、複数のばね３４を排気流路Ｒの左右側部に設けた複数の側室部４０内に配置しているため、排気中の油脂成分の付着に起因するばね３４の付勢機能（シャッター部材３２の閉止機能）の低下（喪失）により、シャッター部材３２の閉止動作が阻害されるのを防止することができる。
【００３４】
防火ダンパー１においては、取付枠２に対するダンパー本体３の固定機構の一部を構成するクレセント錠６は、図６に基づいて説明したような構造を有している。従って、図１４（ａ）に示すようにロック状態にあるクレセント錠６を解除するために、クレセント部材６ｂを支軸６ａ中心に時計方向に回転操作すると、これに伴い、円弧部６ｅ（図６参照）が係止ピン６ｃを連続的に下方へ押圧していく。これにより、図１４（ｂ），（ｃ）に示すように、取付枠２とダンパー本体３とが分離して隙間Ｋが生じ、この隙間Ｋが徐々に広がっていく。
【００３５】
従って、クレセント部材６ｂを上限まで回動させ、係止ピン６ｃから離脱させた後は、図１５に示すように、ダンパー本体３を蝶番状係合部７中心に回動させた後、蝶番状係合部７を分離すれば、ダンパー本体３を取付枠２から取り外すことができる。
【００３６】
このように、排気流路Ｒを通過する排気中に含まれる油脂成分が、取付枠２とダンパー本体３との隙間に付着して両者の分離が困難となっているような場合においても、クレセント錠６の解除操作を行うことにより、これに伴ってダンパー本体３の正面部分が取付枠２から離れるので、ダンパー本体３の取り外し作業が容易であり、メンテナンス性も良好である。
【００３７】
防火ダンパー１においては、図５，図１１，図１２に基づいて説明したように、シャッター部材３２の支軸３１が、管体部３１ａと、管体圧潰部３１ｃと、Ｌ字状管体圧潰部３１ｅとを有している。従って、管状の材料にプレス加工、曲げ加工を施すことにより、シャッター部材３２との連結部分（管体圧潰部３１ｃ）、並びに、シャッター部材３２の動作を同期させる連接部材３３との連結部分（Ｌ字状管体圧潰部３１ｅ）を兼備した、シャッター部材３２の支軸３１を形成することができ、部品点数の削減を図ることができる。
【００３８】
防火ダンパー１においては、ダンパー本体３は複数の構成部材をネジ機構で連結することによって形成されている。例えば、図２に示すように、ダンパー本体３を構成するカバー部材３９は複数のネジＮ１を用いてケーシング正面板３８ａ、ケーシング背面板３８ｃに固定され、ケーシング側面板３８ｂは複数のネジＮ２を用いてケーシング正面板３８ａ、ケーシング背面板３８ｃに固定されている。また、図３，図４に示すように、支軸３１の管体圧潰部３１ｃは複数のネジＮ３によってシャッター部材３２に連結されている。
【００３９】
なお、図示していないが、図２中の枠状部材３０の左側のカバー部材３９は右側のカバー部材３９と同様に複数のネジＮ１を用いてケーシング正面板３８ａ、ケーシング背面板３８ｃに固定され、図２中の枠状部材３０の右側のケーシング側面板３８ｂ（図示せず）は、左側のケーシング側面板３８ｂと同様に複数のネジＮ２を用いてケーシング正面板３８ａ、ケーシング背面板３８ｃに固定されている。
【００４０】
このような構成とすれば、ネジＮ１，Ｎ２，Ｎ３をゆるめることにより、ダンパー本体３を複数の構成部材に分解することができるので、ダンパー本体３の角隅部分や狭い隙間部分などに付着した油脂成分の清掃除去作業が容易であり、清掃の徹底を図ることができる。なお、ネジ機構で連結する部分は、前述したネジＮ１，Ｎ２，Ｎ３による連結部分に限定するものではないので、その他の構成部材についてもネジ機構で連結する構造を採用することができる。
【００４１】
なお、図１〜図１５に基づいて説明した防火ダンパー１は、本発明に係る防火ダンパーの一例を示すものであり、本発明に係る防火ダンパーは前述した防火ダンパー１に限定されない。
【産業上の利用可能性】
【００４２】
本発明に係る防火ダンパーは、建物内の厨房の防火設備の一部として、建設業などの産業分野において広く利用することができる。
【符号の説明】
【００４３】
１  防火ダンパー
２  取付枠
２ａ  正面板
２ｃ  背面板
３  ダンパー本体
６  クレセント錠
６ａ，３１  支軸
６ｂ  クレセント部材
６ｃ  係止ピン
６ｄ  円弧状切欠き部
６ｅ  円弧部
３０  枠状部材
３１ａ  管体部
３１ｂ，３１ｄ  端部
３１ｃ  管体圧潰部
３１ｅ  Ｌ字状管体圧潰部
３２  シャッター部材
３３  連接部材
３４  ばね（弾性部材）
３５  ラチェット部材
３６  フック部
３７  温度ヒューズ
３８ａ  ケーシング正面板
３８ｂ  ケーシング側面板
３８ｃ  ケーシング背面板
３８ｄ  長孔
３９  カバー部材
４０  側室部
４１  ストッパー部材
４２  開口部
４２ａ  丸孔部
４２ｂ  四角孔部
４３  軸体
７１  溝状部材
７２  吊り部材
Ｎ１，Ｎ２，Ｎ３  ねじ
Ｋ  隙間
Ｒ  排気流路
Ｓ  閉止方向
Ｔ  距離
【図１】
2020010976.tif 000003
【図２】
2020010976.tif 000004
【図３】
2020010976.tif 000005
【図４】
2020010976.tif 000006
【図５】
2020010976.tif 000007
【図６】
2020010976.tif 000008
【図７】
2020010976.tif 000009
【図８】
2020010976.tif 000010
【図９】
2020010976.tif 000011
【図１０】
2020010976.tif 000012
【図１１】
2020010976.tif 000013
【図１２】
2020010976.tif 000014
【図１３】
2020010976.tif 000015
【図１４】
2020010976.tif 000016
【図１５】
2020010976.tif 000017